(57)【要約】【課題】細い金属棒などを挿入して接続端子に触れても、安全で、かつ、高価なトランスを用いなくとも、安価な電気掃除機を提供する。【解決手段】商用電源に接続して使用され、掃除機本体と接続筒部を備えた集塵ホースを適宜電気的に接続し、掃除機本体側の接続端子は接続口の外周に設けられ、集塵ホースが掃除機本体から取り外された状態では、接続端子への給電を停止する常開のスイッチが設けられ、このスイッチは接続筒部に設けたクランプ操作部によって閉成される。【選択図】  図７
2011030746.tif 000002
【特許請求の範囲】
【請求項１】
商用電源に接続して使用され、
操作部と吸込口体とのいずれか一方又は双方への給電構造を備えた集塵ホースの一端に設けた接続円筒を、掃除機本体に設けた接続口に着脱自在に接続して、前記集塵ホースと前記掃除機本体を適宜通気的に連通するとともに、
前記操作部と前記吸込口体とのいずれか一方又は双方と前記掃除機本体とを、前記接続円筒に設けた接続子と前記掃除機本体に設けた接続端子を介して適宜電気的に接続する電気掃除機において、
前記接続端子は前記接続口の外周に設けられ、
前記集塵ホースが前記掃除機本体から取り外された状態で、前記接続端子への給電を停止する常開のスイッチが設けられ、
前記集塵ホースが前記掃除機本体に取り付けられた状態で、
前記スイッチは前記接続筒部に設けた操作部によって閉成されることを特徴とする電気掃除機。
【請求項２】
前記スイッチは、前記接続口の外周にこの接続口の長手方向に沿って設けられた係合部内に配置され、
前記操作部は、前記接続筒部口の外周に突出して設けられることを特徴とする請求項１に記載の電気掃除機。
【請求項３】
前記操作部は前記接続円筒に設けたクランプであり、
前記係合部はクランプが係合し、かつ前記係合部内には、前記クランプが係合部に係合した状態で、閉成される前記スイッチが収容されることを特徴とする請求項２に記載の電気掃除機。
【請求項４】
前記クランプは前記接続円筒の外周に設けられたクランプ取付基台に設けられ、前記クランプのクランプ操作部を押圧することで、前記クランプのクランプ係合部が後退して前記係合部との係合を解除され、前記スイッチが開成される構成であることを特徴とする請求項３に記載の電気掃除機。
【発明の詳細な説明】
【技術分野】
【０００１】
本発明は電気掃除機に係り、特に掃除機本体から集塵ホースへ給電するための電気接続部の安全性を向上させた電気掃除機に関する。
【背景技術】
【０００２】
一般に商用電源に接続して使用される電気掃除機は、操作部と通電ホースを備えた集塵ホースを、掃除機本体の外郭に設けた接続口に挿入して掃除機本体に通気的に接続する一方、接続口の外周に設けた電気接続部を介して電気的に接続して、操作部からの動作指令により、掃除機本体の運転制御を行う構造になっている。
【０００３】
この種の電気掃除機では、本体側電気接続部は接続口の外周の一部に設けた一対の接続端子に、ホース側電気接続部に設けた一対のピンが着脱自在に挿入され、ホース側への通電を行っている。
【０００４】
電気掃除機の運転を停止し、集塵ホースを掃除機本体から離脱させた状態でも、電気掃除機が商用電源に接続されている間は、本体側電気接続部に通電された状態になっている。
【０００５】
掃除機の使用者が指を接続口に挿入した場合でも、接続端子に触れて感電するおそれがないように構造設計として、先端直径が３ｍｍ、長さが１５ｍｍ、根元直径が４ｍｍの先細のテストピンを接続口に挿入しても、その先端が刃受に接触することがないように、安全規準上の義務付けがなされ、安全上の配慮がなされている。
【０００６】
しかし、特に子供などが金属製のホークやナイフを接続口に挿入した場合は、接続端子に触れて感電することが起こり得る。
【０００７】
一方、操作部への給電は、商用電源からトランスで降圧して行っている製品もある。しかしながら、トランスを用いることは、トランスが高価とスペ−スが必要であるため、電気掃除機が高価になる。そこで、トランスに代えて抵抗での電圧降下を用いると、電源プラグの二枚刃のどちらかの刃がコンセントのニュ−トラル側に挿入され、その具合によっては、接続端子にライン電圧がかかることになり危険である。
【０００８】
なお、ホースが掃除機本体に接続されていない場合、誤運転をなくし、掃除機誤運転による温度異常上昇などの安全上の問題が発生するのを防止する電気掃除機が提案されているが、安全で安価な電気掃除機を提供するものではない（例えば、特許文献１参照）。
【先行技術文献】
【特許文献】
【０００９】
【特許文献１】特開平６−３０４１０７号公報
【発明の概要】
【発明が解決しようとする課題】
【００１０】
本発明は上述した事情を考慮してなされたもので、上記のようなテストピンより細い金属棒などを挿入して接続端子に触れても、安全であり、さらに、高価なトランスを用いる必要がなく、安全で安価な電気掃除機を提供することを目的とする。
【課題を解決するための手段】
【００１１】
上述した目的を達成するため、本発明に係る電気掃除機は、商用電源に接続して使用され、操作部と吸込口体とのいずれか一方又は双方への給電構造を備えた集塵ホースの一端に設けた接続円筒を、掃除機本体に設けた接続口に着脱自在に接続して、前記集塵ホースと前記掃除機本体を適宜通気的に連通するとともに、前記操作部と前記吸込口体とのいずれか一方又は双方と前記掃除機本体とを、前記接続円筒に設けた接続子と前記掃除機本体に設けた接続端子を介して適宜電気的に接続する電気掃除機において、前記接続端子は前記接続口の外周に設けられ、前記集塵ホースが前記掃除機本体から取り外された状態で、前記接続端子への給電を停止する常開のスイッチが設けられ、前記集塵ホースが前記掃除機本体に取り付けられた状態で、前記スイッチは前記接続筒部に設けた操作部によって閉成されることを特徴とする。
【発明の効果】
【００１２】
本発明に係る電気掃除機によれば、細い金属棒などを挿入して接続端子に触れても、安全で、かつ、高価なトランスを用いる必要がなく、安価な電気掃除機を提供することを目的とする。
【図面の簡単な説明】
【００１３】
【図１】本発明の一実施形態に係る電気掃除機の概念図。
【図２】本発明の一実施形態に係る電気掃除機の掃除機本体の縦断面図。
【図３】本発明の一実施形態に係る電気掃除機の掃除機本体と集塵ホースに接続前の状態を示す概念図。
【図４】本発明の一実施形態に係る電気掃除機に用いる接続円筒の斜視図。
【図５】本発明の一実施形態に係る電気掃除機の掃除機本体の前面図。
【図６】本発明の一実施形態に係る電気掃除機の電気的接続部の断面図。
【図７】本発明の一実施形態に係る操作部であるクランプの係合状態を示す概念図。
【図８】本発明の一実施形態に係る電気掃除機に用いる制御回路図。
【図９】本発明の一実施形態に係る電気掃除機に用いる操作部への給電配線図。
【発明を実施するための形態】
【００１４】
本発明の一実施形態に係る電気掃除機について図面を参照して説明する。
【００１５】
図１に示すように、本実施形態の電気掃除機１は、商用電源に接続されて使用される例えばキャニスタ型の電気掃除機であり、掃除機本体２と、この掃除機本体２の接続口２ａに一端に設けた着脱自在に接続され、その他端には手元操作管３が設けられる集塵ホース４と、手元操作管３に着脱自在に接続された延長管５と、この延長管５の先端部に着脱自在に接続された吸込口体６とを備える。掃除機本体２の後壁には多数の小孔からなる排気部２ｂ（図２）が形成される。
【００１６】
手元操作管３には操作部３ａが設けられ、この操作部３ａには複数の操作スイッチ３ｂ〜３ｅが設けられ、手元操作管３と掃除機本体２及び吸込口体６は配線（図示せず）により接続される。
【００１７】
図２に示すように、掃除機本体２は前車輪１１ａ、後車輪１１ｂが設けられた本体ケース１１を備え、この本体ケース１１に集塵室（装着部）１２が形成され、この集塵室１２には第一塵埃分離手段である集塵ユニット１３が着脱自在に装着され、集塵室１２に設けた集塵ユニット１３の出入用の上部開口１４が蓋体１５によって密閉される。
【００１８】
集塵ユニット１３は分離方式が採用され、塵埃分離部１３ａと、この塵埃分離部１３ａに着脱自在に装着された集塵部１３ｂと、塵埃分離部１３ａと一体となっているフィルタ部１３ｃとからなる。
【００１９】
本体ケース１１の後側には、送風機吸込口１６ａを備えた電動送風機１６が設けられる。
【００２０】
本体ケース１１の略中央で集塵ユニット１３の後方（空気流の下流側）には、負圧室１７が設けられ、負圧室１７には、その略全幅に渡って、集塵ユニット１３を通過した塵埃を捕捉するフィルタ、例えばプリーツフィルタ１８が設けられる。
【００２１】
図３に示すように、集塵ホース４の掃除機本体２への着脱自在な接続は、集塵ホース４の一端に設けた接続円筒５ａを、掃除機本体２の接続口２ａに着脱自在に挿入することで行われる。
【００２２】
図３および図４に示すように、接続円筒５ａは、円筒形状をなし、その一端が集塵ホース４に接続され、他端が円状に開口される。
【００２３】
さらに、接続円筒５ａの外周側面で集塵ホース４側には、略蒲鉾状のクランプ取付基台２１が設けられ、このクランプ取付基台２１には、クランプ２２が出没自在に取付けられ、常時スプリング（図示せず）により上方に押圧される。
【００２４】
クランプ２２はクランプ（係合）操作する操作部をなし、使用者が指で押圧操作するクランプ操作部２２ａと、このクランプ操作部２２ａに連設され、クランプ操作部２２ａを押圧操作することで下方に移動する（没する）クランプ係合部２２ｂからなる。
【００２５】
また、図４〜図６に示すように、掃除機本体２（接続口２ａ）と集塵ホース４（接続円筒５ａ）は以下のような構成により電気的に接続される。
【００２６】
例えば、クランプ取付基台２１の前側垂直面には、前方に突出して信号用の接続子である接続ピン２３ａ、２３ｂが設けられ、クランプ取付基台２１の一側垂直面には、吸込口体６（図１）に設けた床ブラシ回転用の駆動モータ２４（図８）に給電する電源端子２５が設けられる。
【００２７】
掃除機本体２の接続口２ａの外周には、一部円弧状をなす略長方形状の凹部３０が設けられ、この凹部３０の底板部３１には、細径のピン挿入孔３２が穿設され、底板部３１の裏面でピン挿入孔３２に対向する位置には、接続ピン２３ａ、２３ｂが適宜挿入されて信号が送信されるＶ字状あるいはＵ字状の接続端子３３ａ、３３ｂが設けられ、さらに、凹部３０の一短辺には、電源端子２５が適宜挿入される溝の後端未に端子接続部３４が設けられる。
【００２８】
さらに、接続口２ａの長手方向例えば凹部３０の直線状の長辺には、集塵ホース４が掃除機本体２に取り付けられた状態で、クランプ係合部２２ｂが電気掃除機１の使用時の係合する係合部３５が設けられ、クランプ係合部２２ｂが係合部３５に係合することで、接続円筒５ａと接続口２ａを介して集塵ホース４は掃除機本体２にしっかりと固定される。
【００２９】
さらに、図７に示すように、係合部３５にはマイクロスイッチのような常開の開閉スイッチ３６が収容され、クランプ係合部２２ｂが係合部３５に係合した状態で、この開閉スイッチ３６はクランプ係合部２２ｂにより押圧されてオン状態になり、クランプ係合部２２ｂが係合部３５との係合が外れた状態でオフになる。なお、係合部３５は後面が開放されあるいは閉塞されている。
【００３０】
一方、本電気掃除機１は、図８に示すような制御回路４０を備える。
【００３１】
操作部３ａは制御手段４１に接続される。この制御手段４１には電源回路４２から電力が供給される。しかも、電源回路４２には、電源プラグ４３（図９）を商用電源のコンセント４４（図９）に差し込むことで、商用電源から電力が供給可能となる。
【００３２】
制御手段４１は、操作スイッチ３ｃをＯＮさせると電動送風機１６を、３端子双方向性サイリスタ４５（以後サイリスタ４５とする）を介して駆動させると共に、操作スイッチ３ｃを押す毎に電動送風機１６の吸込風量を「弱」と「中」に交互に切り替える。また、制御手段４１は、操作スイッチ３ｄをＯＮさせると電動送風機１６をサイリスタ４５を介して駆動させて、電動送風機１６の吸込風量を「強」にする。
【００３３】
さらに、制御手段４１は、このような操作スイッチ３ｃ、３ｄの操作による電動送風機１６の駆動時に、操作スイッチ３ｂを押してＯＮさせると、吸込口体６の駆動モータ２４を、サイリスタ４６を介して駆動制御する。操作スイッチ３ｅで電動送風機１６と駆動モ−タ２４のＯＦＦ操作を行う
図９は操作部３ａおよび駆動モータ２４への給電の概念を示す配線である。図８に示す制御回路４０と機能部品的には重複するものもある。
【００３４】
図９に示すように、掃除機本体２側に設ける接続端子３３ａ、３３ｂは、抵抗Ｒ、ダイオードＤおよび回路Ｃ１を介して電源プラグ４３に接続され、接続端子３３ａと回路Ｃ１間には、開閉スイッチ３６が設けられる。なお、開閉スイッチは接続端子３３ｂと回路Ｃ１間にも設けて両切にしてもよい。
【００３５】
また、電源端子２５は、回路（チョッパー回路）Ｃ２を介して電源プラグ４３に接続される。
【００３６】
次に本実施形態の電気掃除機を用いた掃除について説明する。
【００３７】
本電気掃除機１の使用時、図３に示すように、集塵ホース４が掃除機本体２から取り外された状態から、図１に示すように、接続円筒５ａを接続口２ａに挿入して、集塵ホース４を掃除機本体２に取り付ける。
【００３８】
集塵ホース４が掃除機本体２に取り付けられると、図７に示すように、クランプ２２のクランプ係合部２２ｂが係合部３５に係合して、接続円筒５ａと接続口２ａを介して集塵ホース４は、掃除機本体２にしっかりと固定される。クランプ係合部２２ｂの係合と同時に、クランプ係合部２２ｂは、係合部３５内に設けた常開の開閉スイッチ３６を閉成する。
【００３９】
この開閉スイッチ３６が閉成されると接続端子３３ａが通電状態にある。
【００４０】
従って、操作部３ａは制御手段４１に電気的に接続され、信号の送信が可能となる。
【００４１】
このような状態で、操作スイッチ３ｂ〜３ｅから必要な信号を制御手段４１に送信し掃除を開始する。
【００４２】
電動送風機１６の回転により、集塵ユニット１３、負圧室１７に負圧を発生させ、この負圧の作用により、吸込口体６、集塵ホース４等を介して床面等の被掃除面に溜まった塵埃を集塵ユニット１３に吸い込み、その大部分を除塵し、集塵ユニット１３を通過した塵埃をプリーツフィルタ１８で除塵する。除塵された空気は、電動送風機１６を介して、掃除機本体２に設けた排気部２ｂから排気される。
【００４３】
このようにして掃除が終了すると、電気掃除機１を片付けるために、掃除機本体２に取り付けられた集塵ホース４を取り外す。
【００４４】
この集塵ホース４の取り外しは、使用者が指でクランプ２２のクランプ操作部２２ａを押すことで、クランプ係合部２２ｂが後退して、クランプ係合部２２ｂを係合部３５との係合を解除して、接続円筒５ａを接続口２ａから引き抜くことで行われる。また、クランプ係合部２２ｂが後退することで、図９に示すように、常開の開閉スイッチ３６は開放される。
【００４５】
この集塵ホース４が外されると、図５に示すように、接続口２ａの外周に設けた凹部３０は外部に露出し、ピン挿入孔３２も外部に露出する。
【００４６】
このようにピン挿入孔３２が外部に露出していても、接続端子３３ａ、３３ｂの前面には細径のピン挿入孔３２が配置されており、指などが接続端子３３ａ、３３ｂに触れることはない。
【００４７】
さらに、電源プラグ４３のコンセント４４への差込状態によって、接続端子３３ａがニュ−トラル側になる場合には、開閉スイッチを設けても、設けなくとも、上記露出状態で使用者、特に子供などが、ピン挿入孔３２に金属細棒を挿入して、接続端子３３ａの金属細棒が接触しても、感電のおそれはない。
【００４８】
これに対して接続端子３３ａが１００Ｖ（ライブ）側になる場合にも、開閉スイッチ３６は開放されており、接続端子３３ａは給電状態にはなく、接続端子３３ａの金属細棒が接触しても、感電のおそれはない。
【００４９】
なお、接続端子３３ｂ側には、ライン電圧がかからないので開閉スイッチを設けなくとも、感電のおそれはない。
【００５０】
上記のように、本実施形態の電気掃除機によれば、細い金属棒などを挿入して接続端子に触れても、安全で、かつ、高価なトランスを用いる必要がなく、安価な電気掃除機が実現する。
【符号の説明】
【００５１】
１  電気掃除機
２  掃除機本体
２ａ  接続口
２ｂ  排気部
３  手元操作管
３ａ  操作部
３ｂ〜３ｅ  操作スイッチ
４  集塵ホース
５  延長管
５ａ  接続円筒
６  吸込口体
１１  本体ケース
１１ａ  前車輪
１１ｂ  後車輪
１２  集塵室（装着部）
１３  集塵ユニット
１３ａ  塵埃分離部
１３ｂ  集塵部
１３ｃ  フィルタ部
１４  上部開口
１５  蓋体
１６  電動送風機
１６ａ  送風機吸込口
１７  負圧室
１８  プリーツフィルタ
２１  クランプ取付基台
２２  クランプ
２２ａ  クランプ操作部
２２ｂ  クランプ係合部
２３ａ、２３ｂ  接続ピン
２４  駆動モータ
２５  電源端子
３０  凹部
３１  底板部
３２  ピン挿入孔
３３ａ、３３ｂ  接続端子
３４  端子接続部
３５  係合部
３６  開閉スイッチ
４０  制御回路
４１  制御手段
４２  電源回路
４３  電源プラグ
４４  コンセント
４５，４６  サイリスタ
Ｃ１  回路
Ｃ２  回路
Ｅ  商用電源
【図１】
2011030746.tif 000003
【図２】
2011030746.tif 000004
【図３】
2011030746.tif 000005
【図４】
2011030746.tif 000006
【図５】
2011030746.tif 000007
【図６】
2011030746.tif 000008
【図７】
2011030746.tif 000009
【図８】
2011030746.tif 000010
【図９】
2011030746.tif 000011